(57)【要約】【課題】ハンドルを回転操作するときに、ハンドルとベースとが金属同士で噛み合って損傷することのない扉用ロックハンドル装置を提供する。【解決手段】扉用ロックハンドル装置は、扉３１に固定される金属製のベース１と、ベース１を貫通して回転自在に支持される施錠軸５と、この施錠軸５に固定されるラッチ板６と、施錠軸５に横断軸１２によりベース１に対して起伏回転するように枢支される金属製のハンドル１０とを具備する。横断軸１２中心のハンドル１０の起立回転後、施錠軸５中心のハンドル１０の回転操作によりラッチ板６が筐体の受金３３から離脱する。ハンドル１０の基端側の、ベース１に対向する部位には、ハンドル１０の回転操作時にベース１との間に介在するように、弾性合成樹脂製の保護部材１４が固着される。この保護部材１４によりハンドル１０の回転操作時のハンドル１０とベース１との金属同士の噛み合いを阻止する。【選択図】図３
2010174462.tif 000002
【特許請求の範囲】
【請求項１】
筐体の扉に固定される金属製のベースと、基端側が扉の前面と直交方向にベースを貫通して回転自在に支持される施錠軸と、この施錠軸の基端側に固定されるラッチ板と、施錠軸の先端側に当該施錠軸を直交方向に貫通する横断軸によりベースに対して起伏回転するように基端側が枢支される金属製のハンドルとを具備し、前記横断軸を中心にするハンドルの起立回転後における前記施錠軸を中心にするハンドルの回転操作により前記ラッチ板が筐体の受金から離脱する扉用ロックハンドル装置において、
前記ハンドルの基端側の前記ベースに対向する部位に、ハンドルの回転操作時にベースとの間に介在するように弾性合成樹脂製の保護部材が固着され、それによりハンドルの回転操作時のハンドルとベースの金属同士の噛み合いを阻止することを特徴とする扉用ロックハンドル装置。
【請求項２】
前記ハンドルの基端側の前記ベースに対向する部位に係合突起が設けられ、前記保護部材には係合突起に嵌合する係合孔が設けられ、当該係合突起と係合孔との嵌合により保護部材がハンドルに固定されることを特徴とする請求項１に記載の扉用ロックハンドル装置。
【発明の詳細な説明】
【技術分野】
【０００１】
この発明は、扉に固定されたベースに対してハンドルが起伏回転自在で、起立位置で回転操作可能な扉用ロックハンドル装置に関する。
【背景技術】
【０００２】
筐体の扉に固定される金属製のベースと、基端側が扉の前面と直交方向にベースを貫通して回転自在に支持される施錠軸と、この施錠軸の基端側に固定されるラッチ板と、施錠軸の先端側に当該施錠軸を直交方向に貫通する横断軸によりベースに対して起伏回転するように基端側が枢支される金属製のハンドルとを具備する扉用ロックハンドル装置が公知である（例えば特許文献1参照）。このロックハンドル装置は、横断軸を中心にハンドルが回転してベースに対して垂直または斜めに起立した状態で、施錠軸を中心にハンドルを回転操作した時に、ハンドルに直結または間接的に連結されたラッチ板が、筐体の受金部から離脱するように構成される。ハンドルは、ロック状態では倒伏した位置に拘束保持される。ハンドルまたはベースのいずれか一方に、シリンダ錠が組み込まれ、このシリンダ錠により、ハンドルが、ベースに対して倒伏した位置に錠止される。
【先行技術文献】
【特許文献】
【０００３】
【特許文献１】特開２００２−２６６５２８号公報
【発明の概要】
【発明が解決しようとする課題】
【０００４】
上記従来の扉用ロックハンドル装置においては、ベースに対して起立したハンドルを施錠軸を中心に回転操作するときに、握ったハンドルをベース側に押し倒す方向に力をかけやすい。この状態でハンドルを回転させると、ハンドルの基端側のベースに対向する部位が、ベースと噛み合い、金属同士の強い接触により両者が損傷することになる。
したがって、この出願に係る発明は、ハンドルを回転操作するときに、ハンドルとベースとが金属同士で噛み合って損傷することのない扉用ロックハンドル装置を提供することを課題としている。
【課題を解決するための手段】
【０００５】
上記課題を解決するたのこの出願に係る扉用ロックハンドル装置は、筐体の扉３１に固定される金属製のベース１と、基端側が扉３１の前面と直交方向にベース１を貫通して回転自在に支持される施錠軸５と、この施錠軸５の基端側に固定されるラッチ板６と、施錠軸５の先端側に当該施錠軸５を直交方向に貫通する横断軸１２によりベース１に対して起伏回転するように基端側が枢支される金属製のハンドル１０とを具備する。横断軸１２を中心にするハンドル１０の起立回転後における施錠軸５を中心にするハンドル１０の回転操作によりラッチ板６が筐体の受金３３から離脱する。ハンドル１０の基端側の、ベース１に対向する部位には、ハンドル１０の回転操作時にベース１との間に介在するように、弾性合成樹脂製の保護部材１４が固着される。この保護部材１４によりハンドル１０の回転操作時のハンドル１０とベース１との金属同士の噛み合いを阻止する。
好適には、ハンドル１０の基端側の、ベース１に対向する部位に係合突起１６を設け、保護部材１４には係合突起１６に嵌合する係合孔１８を設け、係合突起１６と係合孔１８との嵌合により保護部材１４をハンドル１０に固定する。
【発明の効果】
【０００６】
この出願に係る発明の装置によれば、ハンドル１０の回転操作時に、ハンドル１０とベース１との間に、弾性合成樹脂製の保護部材１４が介在し、ハンドル１０とベース１との金属同士の噛み合いを阻止するので、操作が円滑に行われ、また摺動により両者が損傷されることがない。以上、添付図面の符号を参照して説明したが、本発明はこれに限定されるものではない。
【図面の簡単な説明】
【０００７】
【図１】ロックハンドル装置の断面図である。
【図２】図１のロックハンドル装置の正面図である。
【図３】図１のロックハンドル装置のハンドルが起立した状態の断面図である。
【図４】図１のロックハンドル装置のハンドルの正面図である。
【図５】図１のロックハンドル装置のハンドルの側面図である。
【図６】図１のロックハンドル装置のハンドルの一部の斜視図である。
【発明を実施するための形態】
【０００８】
図面を参照してこの発明の実施の形態を説明する。ベース１は、扉３１の取付孔３１ａに扉３１の前面側から嵌め込まれ、扉３１の背面側から嵌め合わされてねじ止めされる座金板２によって、扉３１に締め付け固着される。ベース１の周縁部と扉３１の前面との間にはパッキング部材３が挿入される。
【０００９】
ベース１の上部背面には、扉３１の前面と直角に軸受筒部４が突出しており、軸受筒部４には施錠軸５が嵌挿されている。施錠軸５は、軸方向への移動を制止されており、施錠軸５の後端である基端の角軸部には、ラッチ板６が相対回転不能に嵌められ、ラッチ板６はボルト７によって施錠軸５に締め付け固着される。
【００１０】
ベース１の下部背面には、扉３１の前面と直角に錠受筒部８が突出している。錠受筒部８には、ハンドル１０をベース１に拘束するためのシリンダ錠９が嵌合固定される。
【００１１】
ハンドル１０の基端部である上端部の背面側には、一対の軸受け部１１が突設される。一対の軸受け部１１の間には、施錠軸５の先端部が挿入される。ハンドル１０は、扉３１の前面と平行な横断軸１２によって施錠軸５の先端部に枢着され、図１に示すように、ベース１に対して倒伏した位置と、図３に示すように、ベース１に対して斜めに起立した位置との間で起伏回転する。
【００１２】
ハンドル１０の基端部の背面側には、軸受け部１１の下方に位置して、ポリアセタールのような弾性合成樹脂製の保護部材１４が固着される。ハンドル１０の基端部の背面側には、保護部材１４を受け入れる嵌合凹部１５と、保護部材１４をカシメ止めするための係合突起１６が設けられる。保護部材１４は、嵌合凹部１５に嵌合する凸部１７と、係合突起１６を圧入してカシメ止めするための段付き係合孔１８とを有する。ハンドル１０への装着状態において、保護部材１４の表面１４ａが、ハンドル１０の基端部背面側の外面を形成する。
【００１３】
ハンドル１０の先端側には、シリンダ錠９を操作するための図示しないキーを挿入する挿入窓２０と、シリンダ錠９の施錠、解錠の状態を目視確認するための目視窓２１とが、合わせてだるま型孔として形成される。
【００１４】
図１に示すように、ハンドル１０がベース１に対して倒伏したとき、ハンドル１０の主体部分はベース１の正面側凹部１３に没入する。この倒伏状態において、ラッチ板６が筐体などの固定枠体３２の受金部３３に係合しており、固定枠体３２に対して扉３１が拘束される。また、この状態で、シリンダ錠９によりハンドル１０をベース１に錠止することができる。シリンダ錠９の操作は、ハンドルの倒伏状態において、挿入窓２０からキーを挿入して行われる。ハンドルの倒伏状態において、シリンダ錠９の前面に形成された施錠または解錠を示す２つの標識９ａ，９ｂのいずれかが、その状態に応じて目視窓２１から前面側へ露出する。
【００１５】
倒伏状態において、ハンドル１０の下端側の先端部は、ベース１の下端部から下方に突出しており、使用者がハンドル１０を起立回転させるとき、指先が掛け易いように形成されている。ハンドル１０はベース１に対して起立方向へ回転し、図３に示すように、斜めに起立する。ハンドル１０は起立状態においてばね１９で保持される。この起立状態において使用者がハンドル１０を握って回転操作すると、ハンドル１０と一体に施錠軸５が回転し、ラッチ板６が固定枠体３２の受金部３３から離脱し、固定枠体３２に対する扉３１の施錠が解除される。扉３１はハンドル１０をそのまま手前に引くことによって開放され、筐体内に装置されている機器を点検修理したり使用したりすることができる。扉３１を閉じて、ハンドル１０を反対方向へ回転操作することによって，再びラッチ板６が受金部３３に係合する。ハンドル１０を倒伏させてキーによりシリンダ錠９で施錠する。
【００１６】
ハンドル１０を倒伏させた状態で、シリンダ錠９が施錠状態にあるか、解錠状態にあるかを目視窓２１から標識９ａ，９ｂを見て容易に目視確認することができるから、施錠忘れが生じにくい。目視窓２１と標識９ａ，９ｂがなければ、キー挿入孔の角度により施錠、解錠を確認するほかなく、間違いが生じやすい。
【００１７】
ハンドル１０を握って回転操作するときに、ハンドル１０がベース１側（倒伏方向）へ押される可能性が高い。ハンドル１０を押したまま回転させると、保護部材１４の表面１４ａがベース１の表面に押し当てられた状態で摺動することになる。弾性合成樹脂製の保護部材１４と金属製のベース１との摺動であるから、摩擦抵抗が小さく、操作は円滑に行われ、また相互に噛み合って損傷することもない。
【符号の説明】
【００１８】
１    ベース
２    座金板
３    パッキング
４    軸受け筒部
５    施錠軸
６    ラッチ板
７    ボルト
８    錠受け筒部
９    シリンダ錠
９ａ  標識
９ｂ  標識
１０  ハンドル
１１  軸受け部
１２  横断軸
１３  凹部
１４  保護部材
１４ａ  表面
１５  嵌合凹部
１６  係合突起
１７  凸部
１８  係合孔
１９  ばね
２０  挿入窓
２１  目視窓
３１  扉
３１ａ  孔
３２  筐体
３３  受金
【図１】
2010174462.tif 000003
【図２】
2010174462.tif 000004
【図３】
2010174462.tif 000005
【図４】
2010174462.tif 000006
【図５】
2010174462.tif 000007
【図６】
2010174462.tif 000008